(57)【要約】【課題】部屋のレイアウトや間仕切りを行う場合に使用されるレーザー墨出し器を提供する。【解決手段】基台２の下面に固定されているとともに表面が球面状にされ、且つ導電磁性体よりなる第１基台用支持体６及び第２基台用支持体１２と、揺動体７の上面に固定されているとともに表面が球面状にされ、且つ導電磁性体よりなる第１揺動体用支持体９及び第２揺動体用支持体１３と、前記第１基台用支持体６と第１揺動体用支持体９との間に設けられているとともに前記揺動体７が吊り下げ位置にあるとき前記両支持体に吸着した状態にある第１磁石１０と、前記第２基台用支持体１２と第２揺動体用支持体１３との間に設けられているとともに前記揺動体７が吊り下げ位置にあるとき前記両支持体に吸着した状態にある第２磁石１４とより構成されている。【選択図】    図１
2004157001.tif 000002
【特許請求の範囲】
【請求項１】
基台に吊り下げられた揺動体に組み込まれたレーザー光照射装置より放射されるレーザー光を筐体の外部に投射するように構成されたレーザー墨出し器において、前記基台の下面に固定されているとともに表面が球面状にされ、且つ導電磁性体よりなる第１基台用支持体及び第２基台用支持体と、前記揺動体の上面に固定されているとともに表面が球面状にされ、且つ導電磁性体よりなる第１揺動体用支持体及び第２揺動体用支持体と、前記第１基台用支持体と第１揺動体用支持体との間に設けられているとともに前記揺動体が吊り下げ位置にあるとき前記両支持体に吸着した状態にある第１磁石と、前記第２基台用支持体と第２揺動体用支持体との間に設けられているとともに前記揺動体が吊り下げ位置にあるとき前記両支持体に吸着した状態にある第２磁石と、前記基台又は揺動体に設けられているとともに前記第１磁石の離脱を防止する第１離脱防止部材と、前記基台又は揺動体に設けられているとともに前記第２磁石の離脱を防止する第２離脱防止部材とより成り、前記第１基台用支持体と第１磁石との吸着及び前記第１揺動体用支持体と第１磁石との吸着、そして前記第２基台用支持体と第２磁石との吸着及び前記第２揺動体用支持体と第２磁石との吸着により前記揺動体を前記基台に吊り下げるとともに前記第１基台用支持体、第１磁石及び前記第１揺動体用支持体、そして前記第２基台用支持体、第２磁石及び前記第２揺動体用支持体を通して前記揺動体に組み込まれているレーザー光照射装置へ電源を供給するようにしたことを特徴とするレーザー墨出し器。
【請求項２】
揺動体の下方に該揺動体が基台から離脱した状態にあるとき、該揺動体の下部を支持する支持部材を設けたことを特徴とする請求項１に記載のレーザー墨出し器。
【請求項３】
支持部材を上下動可能に設け、該支持部材の上方への変位により揺動体を吊り下げ位置に移動させるようにしたことを特徴とする請求項２に記載のレーザー墨出し器。
【請求項４】
支持部材の前記揺動体を支持する面に衝撃を吸収する弾性部材を設けたことを特徴とする請求項２に記載のレーザー墨出し器。
【請求項５】
前記揺動体を吊り下げ位置より離脱させるスイッチ用部材を設け、該スイッチ用部材による揺動体の離脱動作によって電源の遮断動作を行うようにしたことを特徴とする請求項１に記載のレーザー墨出し器。
【発明の詳細な説明】
【０００１】
【発明の属する技術分野】
本発明は、部屋のレイアウトや間仕切り等を行う場合に使用される墨出し器に関するものであるる
【０００２】
【従来の技術】
レーザー光線は、エネルギー密度が高く広がり幅が狭いという特性を有しているため、墨出し器と呼ばれる装置に多く使用されている。斯かるレーザー光を利用した墨出し器においては、レーザー光の投射方向を常に水平方向や垂直方向に保持する必要があるためジンバルと呼ばれる支持装置が使用されている（例えば、特許文献１参照。）。
【０００３】
【特許文献１】
特開２００１−３３２４９号公報
【０００４】
【発明が解決しようとする課題】
ジンバル機構は、墨出し器において最も多く利用されている姿勢調整機構であるが、レーザー光照射装置がが組み込まれている吊り下げ体の姿勢調整動作をスムースに行うために軸を支持する手段としてボールベアリングが使用されている。ボールベアリングは、回転時の摩擦抵抗は小さいが、動き出すときの初動抵抗による影響によって吊り下げ体の傾きを調整する姿勢調整機構の動きが追従しなかったり遅れたりすることがあった。斯かる点を改良するために、吊り下げ体の重量を重くしたり、支持するボールベアリングの径を小さくすることが行われている。
【０００５】
しかし、墨出し器は、建築現場等での転倒や落下により大きな衝撃を受ける危険性があるので、吊り下げ体の重量を重くすると落下時に受ける衝撃力が大きくなり、またボールベアリングの径を小さくすると衝撃に対して弱くなるという問題がある。
【０００６】
また、レーザー墨出し器では、吊り下げ体の中にレーザー光照射装置が組み込まれており、該レーザー光照射装置への電源は、リード線を通して供給されるようにされている。そして、リード線を太くすると吊り下げ体の揺動動作に悪影響を与えるため、細いリード線が使用されている。その結果、吊り下げ体の揺動動作の繰り返しによってリード線が断線するという問題がある。
【０００７】
本発明は、斯かる問題を解決することが出来る墨出し器を提供しようとするものである。
【０００８】
【課題を解決するための手段】
本発明は、基台に吊り下げられた揺動体に組み込まれたレーザー光照射装置より放射されるレーザー光を筐体の外部に投射するように構成されたレーザー墨出し器において、前記基台の下面に固定されているとともに表面が球面状にされ、且つ導電磁性体よりなる第１基台用支持体及び第２基台用支持体と、前記揺動体の上面に固定されているとともに表面が球面状にされ、且つ導電磁性体よりなる第１揺動体用支持体及び第２揺動体用支持体と、前記第１基台用支持体と第１揺動体用支持体との間に設けられているとともに前記揺動体が吊り下げ位置にあるとき前記両支持体に吸着した状態にある第１磁石と、前記第２基台用支持体と第２揺動体用支持体との間に設けられているとともに前記揺動体が吊り下げ位置にあるとき前記両支持体に吸着した状態にある第２磁石と、前記基台又は揺動体に設けられているとともに前記第１磁石の離脱を防止する第１離脱防止部材と、前記基台又は揺動体に設けられているとともに前記第２磁石の離脱を防止する第２離脱防止部材とより成り、前記第１基台用支持体と第１磁石との吸着及び前記第１揺動体用支持体と第１磁石との吸着、そして前記第２基台用支持体と第２磁石との吸着及び前記第２揺動体用支持体と第２磁石との吸着により前記揺動体を前記基台に吊り下げるとともに前記第１基台用支持体、第１磁石及び前記第１揺動体用支持体、そして前記第２基台用支持体、第２磁石及び前記第２揺動体用支持体を通して前記揺動体に組み込まれているレーザー光照射装置へ電源を供給するように構成されている。
【０００９】
【実施例】
図１は本発明のレーザー墨出し器の一実施例を示す一部断面図である。同図において、１はレーザー墨出し器を構成する筐体であり、その上方には非磁性体で且つ絶縁材よりなる基台２が固定されている。３及び４は前記筐体１の下方に設けられている基台５に螺合されている姿勢調整用の脚部であり、図示していないがもう１本設けられている。斯かる脚部３，４等を回すことによって筐体１の傾きを調整することが出来るように構成されている。
【００１０】
６は前記基台２の下面２Ａに形成されている半球状の凹部２Ｂに接着剤等によって接着固定されている第１基台用支持体であり、表面が球面状にされているとともに導電磁性体にて構成されている。７は内部にレーザー光を放射するレーザー光照射装置８が組み込まれている揺動体であり、該揺動体７内に組み込まれているレーザー光照射装置８から照射されるレーザー光が筐体１の壁面に形成されている透孔を通して外部に投射され、墨出し器として動作するように構成されている。９は前記揺動体７の上面７Ａに形成されている半球状の凹部７Ｂに接着剤等によって接着固定されている第１揺動体用支持体であり、表面が球面状にされているとともに導電磁性体にて構成されている。
【００１１】
１０は前記揺動体７が図示した吊り下げ位置にあるとき、上端面が前記第１基台用支持体６に吸着されるとともに下端面が前記第１揺動体用支持体９に吸着される第１磁石であり、円柱状にされている。１１は前記揺動体７の上面７Ａに固定されている円筒状の第１離脱防止部材であり、前記揺動体７が吊り下げ位置から離脱したとき前記第１磁石１０が落下することを防止するように構成されている。
【００１２】
１２は前記基台２の下面２Ａに形成されている半球状の凹部２Ｃに接着剤等によって接着固定されている第２基台用支持体であり、表面が球面状にされているとともに導電磁性体にて構成されている。１３は前記揺動体７の上面７Ａに形成されている半球状の凹部７Ｃに接着剤等によって接着固定されている第２揺動体用支持体であり、表面が球面状にされているとともに導電磁性体にて構成されている。
【００１３】
１４は前記揺動体７が図示した吊り下げ位置にあるとき、上端面が前記第２基台用支持体１２に吸着されるとともに下端面が前記第２揺動体用支持体１３に吸着される第２磁石であり、円柱状にされている。１５は前記揺動体７の上面７Ａに固定されている円筒状の第２離脱防止部材であり、前記揺動体７が吊り下げ位置から離脱したとき前記第２磁石１４が落下することを防止するように構成されている。
【００１４】
１６は前記筐体１の下方に設けられている基台５に螺合されている調整螺子であり、指先にて操作される摘み部１７が設けられている。１８は前記調整螺子１６によって上下方向に変位されるべく設けられている支持部材であり、前記揺動体７が衝撃等によって落下したとき該揺動体７の下部を支持するように構成されている。前記支持部材１８には図示したように凹所１８Ａが設けられているとともに前記揺動体７を支持する面１８Ｂには衝撃を吸収するクッション等の弾性部材１９が設けられている。また、前記支持部材１８は、図示しない回転規制部材によって前記調整螺子１６が回転しても回動変位しないように設けられている。
【００１５】
２０は墨出し器の動作電源である電池であり、正極端子２０Ａ及び負極端子２０Ｂが設けられている。２１は前記第１基台用支持体６に電気的に接続されている第１基台用電極であり、リード線２２によって前記電池２０の正極端子２０Ａに接続されている。２３は前記第２基台用支持体１２に電気的に接続されている第２基台用電極であり、リード線２４によって前記電池２０の負極端子２０Ｂに接続されている。
【００１６】
２５は前記レーザー照射装置８内に設けられているレーザー駆動回路等へ電源を供給する第１電源端子であり、リード線２６によって前記第１揺動体用支持体９に接続されている。２７は前記レーザー照射装置８内に設けられているレーザー駆動回路等へ電源を供給する第２電源端子であり、リード線２８によって前記第２揺動体用支持体１３に接続されている。
【００１７】
２９は前記基台２に螺合されているスイッチ用部材であり、上端に操作摘み部３０が設けられているとともに下端には前記揺動体７の上面７Ａに当接する押圧部３１が設けられている。
【００１８】
以上に説明したように本発明に係る墨出し器は構成されているが、次に動作について説明する。墨出し器として動作状態にあるときには、図示したように支持部材１８は揺動体７の下面より離間した状態にあり、スイッチ用部材２９に設けられている押圧部３１は揺動体７の上面７Ａから離間した状態にある。
【００１９】
斯かる状態にあるとき、前記揺動体７は第１基台用支持体６と第１磁石１０との吸着動作及び該第１磁石１０と第１揺動体用支持体９との吸着動作、そして第２基台用支持体１２と第２磁石１４との吸着動作及び該第２磁石１４と第２揺動体用支持体１３との吸着動作によって吊り下げられた状態、即ち吊り下げ位置に保持された状態にある。
【００２０】
斯かる状態にあるとき、前記揺動体７は、基台２に対して揺動可能に吊り下げられた状態にあるとともに電池２０からの電流が正極端子２０Ａ−リード線２２−第１基台用電極２１−第１基台用支持体６−第１磁石１０−第１揺動体用支持体９−リード線２６−第１電源端子２５−レーザー光照射装置８−第２電源端子２７−リード線２８−第２揺動体用支持体１３−第２磁石１４−第２基台用支持体１２−第２基台用電極２３−リード線２４−負極端子２０Ｂを通して流れるので、前記レーザー光照射装置８からレーザー光が照射される。それ故、基台２に対して揺動可能に支持されている前記揺動体７に組み込まれているレーザー光照射装置８から照射されるレーザー光を筐体１の外部に、正確に投射することが出来ので、垂直ライン用の墨出し器として使用することが出来る。
【００２１】
前述した状態にあるときに筐体１に対して衝撃が加わると、第１基台用支持体６と第１磁石１０との吸着状態及び第２基台用支持体１２と第２磁石１４との吸着状態が解除され、揺動体７は落下するが下方に設けられている支持部材１８によって支持されることになる。前記揺動体７が落下するとその下面が前記支持部材１８の凹所１８Ａ内の面１８Ｂに設けられている弾性部材１９に衝突するが、該弾性部材１９の弾力によって衝撃が吸収されるので破損等の問題が発生することはない。第１磁石１０による第１基台用支持体６及び第１揺動体用支持体９への吸着力を同一にするとともに第２磁石１４による第２基台用支持体１２及び第２揺動体用支持体１３への吸着力を同一にすると、第１磁石１０と第１基台用支持体６との吸着力の負荷として加わる力に対して第１磁石１０と第１揺動体用支持体９との吸着力の負荷として加わる力の方が小さくなり、第２磁石１４と第２基台用支持体１２との吸着力の負荷として加わる力に対して第２磁石１４と第２揺動体用支持体１３との吸着力の負荷として加わる力の方が小さくなるので、衝撃を受けた場合には、第１磁石１０と第１基台用支持体６との間、そして第２磁石１４と第２基台用支持体１２との間で吸着保持関係が断たれることになる。
【００２２】
前述したように衝撃を受けると、揺動体７、第１磁石１０及び第２磁石１４が落下し、該揺動体７は前記支持部材１８の凹所１８Ａ内の面１８Ｂによって支持された状態になる。そして、斯かる状態になると第１磁石１０及び第２磁石１４が各々第１基台用支持体６及び第２基台用支持体１２から離間するため、電池２０からレーザー光照射装置８への電源供給路が遮断される。また、前記第１磁石１０及び第２磁石１４は各々前記揺動体７に取り付けられている第１離脱防止部材１１及び第２離脱防止部材１５によって吸着可能位置、即ち揺動体７が上方へ支持部材１８の上方への変位により復帰変位せしめられたとき第１基台用支持体６及び第２基台用支持体１２に吸着することが出来る位置に維持された状態になる。
【００２３】
斯かる状態において、調整螺子１６に設けられている摘み部１７を操作することによって該調整螺子１６を基台５に対して捩じ込むと支持部材１８が上方へ移動変位せしめられるため、前記揺動体７を図示した吊り下げ位置まで上昇させることが出来る。前記揺動体７を図示した吊り下げ位置まで上昇させると、第１離脱防止部材１１及び第２離脱防止部材１５によって吸着可能位置に保持されている第１磁石１０及び第２磁石１４が各々第１基台用支持体６及び第２基台用支持体１２に吸着する。斯かる動作を行った後に調整螺子１６に設けられている摘み部１７を操作することによって該調整螺子１６を基台５に対して逆方向に捩じると、支持部材１８が下方へ移動変位せしめられるので、揺動体７は図示した吊り下げ状態に復帰せしめられる。従って、電池２０からの動作電源が前記揺動体７に組み込まれているレーザー光照射装置８に供給される状態に復帰せしめられるので、墨出し器として動作させることが出来ることになる。
【００２４】
以上に説明したように墨出し器としての動作を行うことが出来るが、次に電源をオフさせるための動作について説明する。図示した状態、即ち墨出し器が動作状態にあるときに、スイッチ用部材２９に設けられている操作摘み部３０を操作し、該スイッチ用部材２９を基台２に対して捩じ込むと、該スイッチ用部材２９の下端に設けられている押圧部３１が揺動体７の上面７Ａに当接する。このようにして押圧部３１が揺動体７の上面７Ａに当接した状態より更に前記スイッチ用部材２９を基台２に対して捩じ込むと、揺動体７が下方へ押圧変位せしめられるので、揺動体７に対する吊り下げ支持状態が解除される。その結果、前記揺動体７は、支持部材１８によって支持された状態になるとともに電源が遮断された状態になる。このようにスイッチ用部材２９に設けられている操作摘み部３０を操作することによって電源のオフ動作を行うことが出来る。
【００２５】
前述したように電源のオフ動作は行われるが、前記スイッチ用部材２９の操作摘み部３０を反対側へ捻じることによって該スイッチ用部材２９を上方へ移動させるとともに調整螺子１６に設けられている摘み部１７を操作することによって該調整螺子１６を基台５に対して捩じ込むと支持部材１８が上方へ移動変位せしめられるため、前記揺動体７を図示した吊り下げ位置まで上昇させることが出来る。前記揺動体７を図示した吊り下げ位置まで上昇させると、第１離脱防止部材１１及び第２離脱防止部材１５によって吸着可能位置に保持されている第１磁石１０及び第２磁石１４が各々第１基台用支持体６及び第２基台用支持体１２に吸着する。斯かる動作を行った後に調整螺子１６に設けられている摘み部１７を操作することによって該調整螺子１６を基台５に対して逆方向に捩じると、支持部材１８が下方へ移動変位せしめられるので、揺動体７は図示した吊り下げ状態に復帰せしめられる。従って、電池２０からの動作電源が前記揺動体７に組み込まれているレーザー光照射装置８に供給される状態に復帰せしめられるので、墨出し器として動作させることが出来ることになる。斯かる操作を行うことによって墨出し器のオン動作を行うことが出来る。
【００２６】
尚、本実施例では、第１磁石１０の離脱を防止する第１離脱防止部材１１及び第２磁石１４の離脱を防止する第２離脱防止部材１５を揺動体７側に設けたが、基台２側に設けることも出来る。
【００２７】
【発明の効果】
本発明は、基台に吊り下げられた揺動体に組み込まれたレーザー光照射装置より放射されるレーザー光を筐体の外部に投射するように構成されたレーザー墨出し器において、前記基台の下面に揺動体を揺動可能に支持する手段を利用して揺動体に組み込まれているレーザー光照射装置に動作電源を供給するようにしたので、揺動体への電源供給をリード線にて行う従来技術のように断線して動作不能になるという問題が発生することはない。
【００２８】
また、本発明は、揺動体の下方に該揺動体が基台から離脱した状態にあるとき、該揺動体の下部を支持する支持部材を設けたので、衝撃を受けることによって揺動体が落下しても何等問題が発生することはない。
【００２９】
そして、本発明は、支持部材を上下動可能に設け、該支持部材の上方への変位により揺動体を吊り下げ位置に移動させるようにしたので、操作性に優れたものである。
【００３０】
また、本発明は、支持部材の揺動体を支持する面に衝撃を吸収する弾性部材を設けたので、揺動体内に組み込まれているレーザー光照射装置等が損傷することを防止することが出来る。
【００３１】
更に、本発明は、揺動体を吊り下げ位置より離脱させるスイッチ用部材を設け、該スイッチ用部材による揺動体の基台からの離脱動作によって電源の遮断動作を行うようにしたので、電源を遮断するスイッチを設ける必要がないという利点を有している。
【図面の簡単な説明】
【図１】本発明のレーザー墨出し器の一実施例を示す一部断面図である。
【符号の説明】
１        筐体
２        基台
６        第１基台用支持体
７        揺動体
８        レーザー光照射装置
９        第１揺動体用支持体
１０        第１磁石
１１        第１離脱防止部材
１２        第２基台用支持体
１３        第２揺動体用支持体
１４        第２磁石
１５        第２離脱防止部材
１６        調整螺子
１８        支持部材
１９        弾性部材
２０        電池
２１        第１基台用電極
２３        第２基台用電極
２５        第１電源端子
２７        第２電源端子
２９        スイッチ用部材
【図１】
2004157001.tif 000003